(57)【要約】      （修正有）【課題】ユニフォーム面に対する仮止めを確実にするばかりでなく、作業者の人体更には作業環境・周囲に対する環境負荷を極めて少なくし、周囲を汚染しないようにする。【解決手段】ユニフォーム等の布帛基材Ｂ面に刺繍固定するマーク地本体と、このマーク地本体の裏面に層状に形成させて、布帛基材Ｂ面に接着させる水溶性接着剤層３とを積層状にして形成する。水溶性接着剤層３は乾燥状態で層状に形成し、供給した水分で湿潤して接着作用を発揮する澱粉質にて形成する。水溶性接着剤層３はマーク地本体の厚薄に対応した層厚とし、例えば７０ミクロン程度の肉厚にする。【選択図】図１
0003107548.tif 000002
【実用新案登録請求の範囲】
【請求項１】
ユニフォーム等の布帛基材面に刺繍固定されるマーク地であって、マーク地本体と、このマーク地本体の裏面に層状に形成されていて、布帛基材面に接着させる水溶性接着剤層とを積層状にして形成したことを特徴とするマーク地。
【請求項２】
水溶性接着剤層は乾燥状態で層状に形成され、供給される水分で湿潤されて接着作用を発揮する澱粉質にて形成されている請求項１に記載のマーク地。
【考案の詳細な説明】
【技術分野】
【０００１】
この考案は例えばユニフォーム等に所定内容の文字、マーク等を表示するよう、それに対応した外郭形状で裁断形成されたマーク地を当該ユニフォーム等に位置ずれを生じさせることなく所定位置に簡単、確実にセット固定でき、また作業環境を害さないようにできるマーク地に関する。
【背景技術】
【０００２】
運動競技用の運動衣等のユニフォームに付されるチーム名その他のロゴマークは、それらを象ったマーク地によって刺繍固定されることで表示されている。従来からのこの種のマーク地をユニフォーム等に固定するには、所定形状に裁断形成した後のマーク地片を仮止めした後に刺繍掛り方式によるものとしたり、あるいは熱圧着方式によるものとしたりしている。いずれにしてもユニフォーム等の所定位置に位置ずれを生じさせることなく仮止め固定させた後にしっかりと固定される。そしてこの仮止め時の位置ずれを防止するため、従来では糸掛りによって仮止めしたり、マーク地片の裏面に仮止め用ボンド液をスプレー状に吹き付け、そのボンド液の接着力を利用して仮止めしたりしている。
【特許文献１】特開平１１−２００２３２号公報
【考案の開示】
【考案が解決しようとする課題】
【０００３】
ところが糸掛りで行うと作業能率が悪く、またボンド液のスプレー状の吹き付けで仮止めすると、マーク地片周囲にもボンド液が細かい粒子となって飛散されて周囲を汚染させるばかりでなく、作業者等の手指にも付着してべとつき、マーク地片が手指に付着したり、マーク地片自体にゴミや埃が付着して汚損されたり等で作業遂行上、支障となる。しかも、このボンド液は、例えば合成樹脂（１１％）としてＥＶ樹脂、有機溶剤（３８％）として塩化メチレン、噴射ガス（５１％）としてＤＭＥ、ＬＰＧを成分としているために、人体に対して有害で、人体に付着した場合にかぶれたり、湿疹になったり等する。また周囲を汚染し、例えば空気清浄機、換気扇等の電気機器の故障にも繋がる。
【０００４】
そこでこの考案は叙上のような従来存した諸事情に鑑み案出されたもので、ユニフォーム等の布帛基材面に対する仮止めを確実にしておくばかりでなく、作業者の人体更には作業環境・周囲に対する環境負荷を極めて少なくし、周囲を汚染せずに済むマーク地を提供することを目的とする。
【課題を解決するための手段】
【０００５】
上述した課題を解決するため、この考案にあっては、ユニフォーム等の布帛基材Ｂ面に刺繍固定されるマーク地１であって、マーク地本体２と、このマーク地本体２の裏面に層状に形成されていて、布帛基材Ｂ面に接着させる水溶性接着剤層３とを積層状にして形成したものである。
水溶性接着剤層３は乾燥状態で層状に形成され、供給される水分で湿潤されて接着作用を発揮する澱粉質にて形成されているものとすることができる。
【０００６】
以上のように構成されたこの考案に係るマーク地１にあって、乾燥状態にある水溶性接着剤層３は例えば噴霧状で供給される水によって湿潤されることで接着作用を発揮し、ユニフォーム等の布帛基材Ｂ面に押圧されることでマーク地本体２自体を布帛基材Ｂ面に仮止め状に固定させる。その後の刺繍によって、布帛基材Ｂ面にマーク地本体２を固定させる。
乾燥状となる水溶性接着剤層３は、マーク地本体２と一体状となることでマーク地本体２自体を半ば硬質化させ、布帛基材Ｂ面に対する刺繍固定時の作業能率を向上させる。
【考案の効果】
【０００７】
この考案は以上のように構成されているため、ユニフォーム等の布帛基材Ｂ面に対して水溶性接着剤層３による接着作用で簡単に仮止め状としておくことができ、その後の刺繍作業を能率的に遂行させることができる。しかも水溶性接着剤層３による接着作用で布帛基材Ｂ面に仮止めさせるに際し、それを湿潤させるには単に水分を噴霧・塗布等によって供給させるだけでよいから、従来のような有機溶剤によって周囲を汚損させずに済み、作業者の人体更には作業環境・周囲に対する環境負荷等を極めて少なくできる。
【０００８】
すなわちこれは、この考案において、マーク地本体２の裏面に水溶性接着剤層３を積層状に形成したからであり、使用前では乾燥状で半ば固化されていても、湿潤されることで発揮される水溶性接着剤層３の接着作用で布帛基材Ｂ面に簡単、確実に仮止め接着できるのである。
【０００９】
またマーク地本体２の裏面に乾燥された層状で水溶性接着剤層３が形成されているから、マーク地本体２自体を半ば硬質化でき、それ自体の取り扱いを容易にし、布帛基材Ｂ面上でのマークの位置決めを確実にし、作業を能率的に遂行させる。
【００１０】
しかも水溶性接着剤層３は澱粉質のものであるから、人体・周囲等に対する悪影響はなく、安心して安全に使用できる。
【００１１】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１２】
以下図面を参照してこの考案を実施するための最良の一形態を説明すると、図において示される符号１はこの考案に係るマーク地であり、このマーク地１自体は、マーク地本体２と、このマーク地本体２の裏面に一体状に形成されていて、ユニフォーム等の布帛基材Ｂ面に接着される水溶性接着剤層３とを積層状に形成して成る。
【００１３】
マーク地本体２は、マーク地１自体を所定形状に裁断して得たマーク地片を貼着固定する例えばユニフォーム生地の如き布帛基材Ｂと同効材にて形成されることが予定されているも、場合によっては布帛とする場合に限らず異種材とすることもあり、それらは適宜に選択される。
【００１４】
水溶性接着剤層３は、液状にした水溶性接着剤、例えば澱粉質の水糊をマーク地本体２面に噴射、噴霧、塗布等の層形成手段によって例えば厚さを７０ミクロン程度として乾燥状態にして形成される。この水溶性接着剤層３は、例えばスプレー状で噴射供給される水が含浸されることで湿潤して所定の接着作用が発揮され、布帛基材Ｂ面に当接セットされて押圧接着される。このとき、マーク地本体２自体は、このマーク地本体２に対する外部からの衝撃等によっては位置ずれ、剥離等が発生しないとされるも、強制的な剥離力によっては剥離される程度の仮止め状の着脱自在な状態で布帛基材Ｂ面に接着される。
【００１５】
この水溶性接着剤層３自体の厚さは、マーク地本体２自体の厚薄に対応して塗布形成され、厚さが薄いことで柔軟性に富むマーク地本体２を半ば硬質化でき、布帛基材Ｂに対する刺繍止め作業の能率向上を図れるようにしてある。
【００１６】
また、この水溶性接着剤層３面には必要があれば、剥離紙が剥離自在に被装されるもので、布帛基材Ｂに対する当接セット時以外での水溶性接着剤層３表面の保護及び接着力の維持を図るようにし、水溶性接着剤層３表面に当接される裏面には離型剤が塗布されている紙片材、樹脂フィルム材等のものとしてある。
【００１７】
更に図示を省略したが水溶性接着剤層３は、マーク地１裏面に、その全面に層状に形成する場合に限らず、ドット状に点在させて配置形成することもでき、このようにすることでマーク地１の布帛基材Ｂに対する接着力を調整できる。
【００１８】
次に以上のように構成されたマーク地１を布帛基材Ｂに固定する方法を説明すると、例えば布帛基材Ｂとしてのユニフォーム生地と同効材にて形成されたマーク地本体２の裏面に水溶性接着剤層３を予め形成しておくことでマーク地１とし、このマーク地１を、例えば図１に示すように文字、マーク等の所定の外郭形状を呈するようにレーザーカッター等によって裁断する。次いで露出されている水溶性接着剤層３表面を適当なスプレー用具Ｓによって水を噴霧して湿潤状態にし、接着作用が得られた水溶性接着剤層３によって布帛基材Ｂ上における所定位置に当接セットし、軽く押圧することで仮止めする。その後、マーク地本体２自体をその周縁で所定のミシン等の刺繍機器にて刺繍止めし、マーク地本体２を布帛基材Ｂ面に一体状に固定する。
【図面の簡単な説明】
【００１９】
【図１】この考案を実施するための最良の形態を示す使用時の概略斜視図である。
【図２】同じく断面図である。
【符号の説明】
【００２０】
Ｂ…布帛基材                            Ｓ…スプレー用具
１…マーク地                            ２…マーク地本体
３…水溶性接着剤層
【図１】
0003107548.tif 000003
【図２】
0003107548.tif 000004